(57)【要約】      （修正有）【課題】導電端子同士がショートすることを抑制することが可能な電気コネクタを提供する。【解決手段】電気コネクタは、インシュレーターと、インシュレーターに保持される複数の導電端子と、インシュレーターに装着される遮蔽シェルを有する。インシュレーターは第一表面１１２１と、反対側の第二表面を有する延在部１１２を備え、導電端子は第一表面１１２１と同じ側に位置する第一接触部２１１と、第二表面に同じ側に位置する第二接触部を含み、第一接触部２１１及び第二接触部の表面は、隣接する２つの第一接触部２１１または第二接触部の間に位置する延在部１１２の第一表面１１２１または第二表面から突出しないように配置される。【選択図】図３
0003230758.tif 000002
【実用新案登録請求の範囲】
【請求項１】
本体部（１１）が設けられるインシュレーター（１）と、前記インシュレーター（１）に保持される複数の導電端子（２）を含む電気コネクタ（１００）において、
前記本体部（１１）は、基部（１１１）と、前記基部（１１１）から突出し延在し、第一表面と、反対側の第二表面（１１２２）を有する延在部（１１２）を備え、前記基部（１１１）と延在部（１１２）が階段状を呈するように配置され、
前記導電端子（２）は、前記第一表面と同じ側に位置する第一接触部（２１１）と、前記第二表面（１１２２）に同じ側に位置する第二接触部（２２１）を含み、
前記第一接触部（２１１）の少なくとも一部の表面は、隣接する２つの前記第一接触部（２１１）の間に位置する前記延在部（１１２）の第一表面（１１２１）から突出しないように配置され、前記第二接触部（２２１）の少なくとも一部の表面は、隣接する２つの前記第二接触部（２２１）の間に位置する前記延在部（１１２）の第二表面（１１２２）から突出しないように配置されることを特徴とする電気コネクタ（１００）。
【請求項２】
前記第一接触部（２１１）と第二接触部（２２１）とは、相手側コネクタの挿入時に、相手コネクタ内部に挿入された接触領域（Ａ）と、相手コネクタ内部に挿入しない不接触領域（Ｂ）に区分され、
前記不接触領域（Ｂ）において、前記第一接触部（２１１）の表面（２１１０）が前記第一表面（１１２１）から突出しないように配置され、前記第二接触部（２２１）の表面（２２１０）が前記第二表面（１１２２）から突出しないように配置されることを特徴とする請求項１に記載の電気コネクタ（１００）。
【請求項３】
前記不接触領域（Ｂ）において、前記第一接触部（２１１）の表面（２１１０）が前記第一表面（１１２１）と面一に配置され、前記第二接触部（２２１）の表面（２２１０）が前記第二表面（１１２２）と面一に配置されることを特徴とする請求項２に記載の電気コネクタ（１００）。
【請求項４】
電気コネクタ（１００）は、第１端子保持部材（４１）を有する第一端子モジュール（４）と、第２端子保持部材（５１）を有する第二端子モジュール（５）を含み、
前記導電端子（２）は、前記第１端子保持部材（４１）にインサート成形で保持される複数の第一導電端子（２１）と、前記第２端子保持部材（５１）にインサート成形で保持される複数の第二導電端子（２２）を含み、
前記第一接触部（２１１）と前記第二接触部（２２１）とは平板状を呈し、前記第一接触が前記第一導電端子（２１）に設けられ、前記第二接触部（２２１）が前記第二導電端子（２２）に設けられることを特徴とする請求項３に記載の電気コネクタ（１００）。
【請求項５】
前記第１端子保持部材（４１）は、前記第一導電端子（２１）の接触部を保持する第一延在部（４１１）を有し、
前記第２端子保持部材（５１）は、前記第二導電端子（２２）の接触部を保持する第二延在部（５１１）を有し、
前記接触領域（Ａ）において、前記第一延在部（４１１）の上表面（４１１０）が前記第一接触部（２１１）の表面（２１１０）から突出しないように配置され、前記第二延在部（５１１）の下表面（５１１０）が前記第二接触部（２２１）の表面（２２１０）から突出しないように配置されることを特徴とする請求項４に記載の電気コネクタ（１００）。
【請求項６】
電気コネクタ（１００）は、前記第一端子モジュール（４）と前記第二端子モジュール（５）に取り付けられた中継保持部材（６）を含み、
前記延在部（１１２）は、前記第一延在部（４１１）及び第二延在部（５１１）に被覆成形された第三延在部（１１２）を含み、
前記第三延在部（１１２）（６１１）は、第三表面（６１１１）と、反対側の第四表面（６１１２）を有し、
前記接触領域（Ａ）において、前記第三表面（６１１１）が前記第一表面（１１２１）（１１２１）より低く、前記第四表面（６１１２）が前記第二表面（１１２２）（１１２２）より低く配置されることを特徴とする請求項５に記載の電気コネクタ（１００）。
【請求項７】
前記接触領域（Ａ）において、前記第一表面（１１２１）（１１２１）が前記第一接触部（２１１）の表面（２１１０）より低く、前記第二表面（１１２２）（１１２２）が前記第二接触部（２２１）の表面（２２１０）より低く配置されることを特徴とする請求項６に記載の電気コネクタ（１００）。
【請求項８】
前記本体部（１１）は、前記不接触領域（Ｂ）を覆う被覆部（１１３）が設けられることを特徴とする請求項２に記載の電気コネクタ（１００）。
【請求項９】
前記被覆部（１１３）は、不接触領域（Ｂ）における前記第一接触部（２１１）を被覆する第一被覆部（１１３１）と、不接触領域（Ｂ）における第二接触部（２２１）を被覆する第二被覆部（１１３２）を含むことを特徴とする請求項８に記載の電気コネクタ（１００）。
【請求項１０】
電気コネクタ（１００）は、第１端子保持部材（４１）を有する第一端子モジュール（４）と、第２端子保持部材（５１）を有する第二端子モジュール（５）を含み、
前記導電端子（２）は、前記第１端子保持部材（４１）にインサート成形で保持される複数の第一導電端子（２１）と、前記第２端子保持部材（５１）にインサート成形で保持される複数の第二導電端子（２２）を含み、
前記第一接触部（２１１）と前記第二接触部（２２１）とは平板状を呈し、前記第一接触部（２１１）が前記第一導電端子（２１）に設けられ、前記第二接触部（２２１）が前記第二導電端子（２２）に設けられることを特徴とする請求項９に記載の電気コネクタ（１００）。
【請求項１１】
前記第１端子保持部材（４１）は、前記第一導電端子（２１）の第一接触部（２１１）を保持する第一延在部（４１１）を有し、
前記第２端子保持部材（５１）は、前記第二導電端子（２２）の第二接触部（２２１）を保持する第二延在部（５１１）を有し、
前記第一被覆部（１１３１）が前記第一延在部（４１１）に設けられ、前記第二被覆部（１１３２）が前記第二延在部（５１１）に設けられることを特徴とする請求項１０に記載の電気コネクタ（１００）。
【考案の詳細な説明】
【技術分野】
【０００１】
本考案は、電気コネクタに関し、コネクタの技術分野に属する。
【背景技術】
【０００２】
従来の電気コネクタ（例えば、USBタイプ-Cコネクタ）は、一端に相手コネクタと接続するための接触部を備え、他端に回路基板に実装される実装部を備える複数の導電端子と、該複数の導電端子が相互に離間した形態で装着され、前記接触部が定着する本体部を備えるインシュレーターと、該インシュレーターと結合され、回路基板に装着される遮蔽シェルを備える。前記導電端子の接触部は、インシュレーターの本体部の表面に突出するように配置される。
【考案の概要】
【考案が解決しようとする課題】
【０００３】
先行技術の電気コネクタは、前記導電端子の接触部がインシュレーターの本体部の表面に突出するように配置されるので、長時間使用すると、導電端子の接触部に汚れが蓄積して、隣接する導電端子は微小電流を発生し、ショートや導通不良のリスクが発生しやすくなる。
【０００４】
そこで、本考案の目的は、導電端子同士がショートすることを抑制することが可能な電気コネクタを提供することである。
【課題を解決するための手段】
【０００５】
本考案は、本体部が設けられたインシュレーターと、前記インシュレーターに保持される複数の導電端子を含む電気コネクタにおいて、前記本体部は、基部と、前記基部から突出し延在し、第一表面と、反対側の第二表面を有する延在部を備え、前記基部と延在部は階段状を呈するように配置され、前記導電端子は、前記第一表面と同じ側に位置する第一接触部と、前記第二表面に同じ側に位置する第二接触部を含み、前記第一接触部の少なくとも一部の表面は、隣接する２つの前記第一接触部の間に位置する前記延在部の第一表面から突出しないように配置され、前記第二接触部の少なくとも一部の表面は、隣接する２つの前記第二接触部の間に位置する前記延在部の第二表面から突出しないように配置されることを特徴とする。
【０００６】
更に、本考案は、前記第一接触部と第二接触部が、相手側コネクタの挿入時に、相手コネクタ内部に挿入された接触領域Ａと、相手コネクタ内部に挿入しない不接触領域Ｂに区分され、前記不接触領域Ｂにおいて、前記第一接触部の表面が前記第一表面から突出しないように配置され、前記第二接触部の表面が前記第二表面から突出しないように配置されることを特徴とする。
【０００７】
更に、本考案は、前記不接触領域Ｂにおいて、前記第一接触部の表面が前記第一表面と面一に配置され、前記第二接触部の表面が前記第二表面と面一に配置されることを特徴とする。
【０００８】
更に、本考案は、電気コネクタが、第１端子保持部材を有する第一端子モジュールと、第２端子保持部材を有する第二端子モジュールを含み、前記導電端子は、前記第１端子保持部材にインサート成形で保持される複数の第一導電端子と、前記第２端子保持部材にインサート成形で保持される複数の第二導電端子を含み、前記第一接触部と前記第二接触部とは平板状を呈し、前記第一接触が前記第一導電端子に設けられ、前記第二接触部が前記第二導電端子に設けられることを特徴とする。
【０００９】
更に、本考案は、前記第１端子保持部材が、前記第一導電端子の接触部を保持する第一延在部を有し、前記第２端子保持部材は、前記第二導電端子の接触部を保持する第二延在部を有し、前記接触領域Ａにおいて、前記第一延在部の上表面が前記第一接触部の表面から突出しないように配置され、前記第二延在部の下表面が前記第二接触部の表面から突出しないように配置されることを特徴とする。
【００１０】
更に、本考案は、電気コネクタが、前記第一端子モジュールと前記第二端子モジュールに取り付けられた中継保持部材を含み、前記延在部が、前記第一延在部及び第二延在部に被覆成形された第三延在部を含み、前記第三延在部が、第三表面と、反対側の第四表面を有し、前記接触領域Ａにおいて、前記第三表面が前記第一表面より低く、前記第四表面が前記第二表面より低く配置されることを特徴とする。
【００１１】
更に、本考案は、前記接触領域Ａにおいて、前記第一表面が前記第一接触部の表面より低く、前記第二表面が前記第二接触部の表面より低く配置されることを特徴とする。
【００１２】
更に、本考案は、前記本体部が、前記不接触領域Ｂを覆う被覆部が設けられることを特徴とする。
【００１３】
更に、本考案は、前記被覆部が、不接触領域Ｂにおける前記第一接触部を被覆する第一被覆部と、不接触領域Ｂにおける第二接触部を被覆する第二被覆部を含むことを特徴とする。
【００１４】
更に、本考案は、電気コネクタが、第１端子保持部材を有する第一端子モジュールと、第２端子保持部材を有する第二端子モジュールを含み、前記導電端子は、前記第１端子保持部材にインサート成形で保持される複数の第一導電端子と、前記第２端子保持部材にインサート成形で保持される複数の第二導電端子を含み、前記第一接触部と前記第二接触部とは平板状を呈し、前記第一接触が前記第一導電端子に設けられ、前記第二接触部が前記第二導電端子に設けられることを特徴とする。
【００１５】
更に、本考案は、前記第１端子保持部材が、前記第一導電端子の接触部を保持する第一延在部を有し、前記第２端子保持部材が、前記第二導電端子の接触部を保持する第二延在部を有し、前記第一被覆部が前記第一延在部に設けられ、前記第二被覆部が前記第二延在部に設けられることを特徴とする。
【考案の効果】
【００１６】
従来技術と比較して、本考案の電気コネクタは以下の利点を有し、前記導電端子の第一接触部及び第二接触部の表面は、前記延在部の対応表面から突出しないように配置されることによって、隣接する２つの導電端子の接触部の間に汚れが蓄積する溝がないので、隣接する導電端子同士が電気的にショートすることを抑制できる。
【図面の簡単な説明】
【００１７】
【図１】本考案に係る電気コネクタの第一実施状態の組立斜視図である。
【図２】図１に示す電気コネクタの部分の分解斜視図である。
【図３】図１に示す電気コネクタの遮蔽シェルを取り外したときの組立斜視図である。
【図４】図３に示す電気コネクタの分解斜視図である。
【図５】図４に示す電気コネクタの他の角度から見た分解斜視図である。
【図６】図１に示す電気コネクタの断面図である。
【図７】本考案に係る電気コネクタの他の実施状態の遮蔽シェルが取り外された組立斜視図である。
【図８】図７に示す電気コネクタの分解斜視図である。
【図９】図８に示す電気コネクタの他の角度から見た分解斜視図である。
【図１０】図８に示す電気コネクタの分解斜視図である。
【図１１】図１０に示す電気コネクタの他の角度から見た分解斜視図である。
【考案を実施するための形態】
【００１８】
以下、本考案の実施形態について説明する。なお、実施の形態を説明するための全ての図において、同一部材には原則として同一の符号を付し、その繰り返しの説明は省略する。図１ないし図１１を参照すると、本考案に係る電気コネクタ１００は、回路基板に装着されるUSBタイプ-Cソケットコネクタであり、インシュレーター１と、インシュレーター１に保持される複数の導電端子２と、インシュレーター１に装着される遮蔽シェル３を備える。遮蔽シェル３は、外部シェル３１と、内部シェル３２と、後部シェル３３を有する。
【００１９】
図３を参照すると、インシュレーター１は、基部１１１と、該基部１１１から突出し延在する平板状の延在部１１２を有する本体部１１と、本体部１１の外部を覆う金属リング１２と、インシュレーター１にインサート成型された金属シート１３を有する。基部１１１は延在部１１２より一側の表面が高く、階段状を呈するように配置される。遮蔽シェル１２は基部１１１に覆われるので、前記導電端子同士の伝送信号の干渉影響を低減できる。
【００２０】
図４と図５を参照すると、延在部１１２は、第一表面１１２１と、第一表面１１２１の反対面としての第二表面１１２２を有する。第一表面１１２１は下表面であり、第二表面１１２２は上表面である。
【００２１】
前記導電端子２は、第一表面１１２１と同じ側に位置する第一接触部２１１と、第二表面１１２２と同じ側に位置する第二接触部２２１を備え、前記第一接触部２１１と第二接触部２２１とは、相手側コネクタの挿入時に、相手コネクタ内部に挿入された接触領域Ａと、相手コネクタ内部に挿入しない不接触領域Ｂに区分される。
【００２２】
第一接触部２１１の少なくとも一部の表面２１１０は、隣接する２つの第一接触部２１１の間に位置する前記延在部１１２の第一表面１１２１から突出しないように配置される。第二接触部２２１の少なくとも一部の表面２２１０は、隣接する２つの第二接触部２２１の間に位置する前記延在部１１２の第二表面１１２２から突出しないように配置される。
【００２３】
具体的には、不接触領域Ｂにおいて、平板状に延び出た第一接触部２１１の表面２１１０が第一表面１１２１から突出しないように配置され、平板状に延び出た第二接触部２２１の表面２１１０が第二表面１１２２から突出しないように配置される。これによって、隣接する２つの導電端子の接触部の間に汚れが蓄積する溝がないので、隣接する導電端子同士が電気的にショートすることを抑制できる。
【００２４】
図１乃至図６を参すると、勿論、他の実施状態の場合で、不接触領域Ｂにおいて、平板状に延び出た第一接触部２１１の表面２１１０が第一表面１１２１と面一に配置され、平板状に延び出た第二接触部２２１の表面２１１０が第二表面１１２２面一に配置されてもよい。これによって、隣接する２つの端子の接触部の間に汚れの蓄積する段部がないので、隣接する導電端子同士が電気的にショートすることを抑制できる。
【００２５】
他の実施状態の場合では、不接触領域Ｂにおいて、平板状に延び出た第一接触部２１１の表面２１１０が第一表面１１２１より低く配置され、平板状に延び出た第二接触部２２１の表面２１１０が第二表面１１２２より低く配置される。これによって、前記第一表面１１２１または第二表面１１２２が隣接する端子の接触部同士を仕切るための凸部として汚れの蓄積する箇所がないので、隣接する導電端子同士が電気的にショートすることを抑制できる。
【００２６】
本考案の電気コネクタ１００は、第一端子モジュール４と、第二端子モジュール５と、第一端子モジュール４と第二端子モジュール５に取り付けられた中継保持部材６を含む。
【００２７】
第一端子モジュール４は、第１端子保持部材４１と、第１端子保持部材４１にインサート成形で保持される複数の第一導電端子２１を含み、前記第一導電端子２１は、平板状の第一接触部２１１と、回路基板に実装された第一接続部２１２を有する。第１端子保持部材４１は、第一溝部４１２と、前記第一導電端子２１の接触部２１１を保持する第一延在部４１１を有する。相手コネクタと良好な嵌合状態を得るために、接触領域Ａにおいて、第一延在部４１１の上表面４１１０が第一接触部２１１の表面２１１０から突出しないように配置される。
【００２８】
第二端子モジュール５は、第２端子保持部材５１と、第２端子保持部材５１にインサート成形で保持される複数の第二導電端子２２を有する。前記第二導電端子２２は、平板状の第二接触部２２１と、回路基板に実装された第二接続部２２２を有する。第２端子保持部材５１は、第二溝部５１２と、前記第二導電端子２２の接触部２２１を保持する第二延在部５１１を有する。相手コネクタと良好な嵌合状態を得るために、接触領域Ａにおいて、第二延在部５１１の上表面５１１０が第二接触部２２１の表面２２１０から突出しないように配置される。
【００２９】
中継保持部材６は、前記第一延在部４１１及び第二延在部５１１に被覆成形された第三延在部６１１を有し、第三延在部６１１は、第三表面６１１１と、反対側の第四表面６１１２を有する。図４と図５を参照すると、接触領域Ａにおいて、前記第三表面６１１１が前記第一表面１１２１より低く、第四表面６１１２が第二表面１１２２より低く配置される。本実用新案の具体的な実施形態の説明において、「突出しない」、「以下」に関する位置の記述は、本体部１１の中間平面D-D（図６に示す）を基準として、すなわち、この中間平面D-Dに近寄る箇所は低いまたは突出しない位置である。
【００３０】
前記インシュレーター１は、第１端子保持部材４１と、第２端子保持部材５１と、中継保持部材６を含む。前記本体部１１の延在部１１２は、第一延在部４１１と第二延在部５１１と第三延在部６１１を含む。前記導電端子２は、第一導電端子２１と第二導電端子２２を含む。
【００３１】
図２と図４を参照すると、外部シェル３１には、第一溝部４１２と第二溝部５１２に連通する成型口３１１が形成されている。電気コネクタ１００は、成型口３１１を通じて第一溝部４１２と第二溝部５１２内へ向けて封止剤を注入して成型される封止ブロック７と、外部シェル３１の相手コネクタに向ける外側端部に防水リング８に取り付けられる。これによって、本考案に係る電気コネクタ１００は優れた防水効果を提供する。
【００３２】
図７ないし図１１を参照すると、本考案に係る他の実施状態において、前記第一接触部２１１と第二接触部２２１とは、相手側コネクタの挿入時に、相手コネクタ内部に挿入された接触領域Ａと、相手コネクタ内部に挿入しない不接触領域Ｂに区分される。本体部１１は前記不接触領域Ｂを覆う被覆部１１３が設けられ、被覆部１１３は、不接触領域Ｂにおける第一接触部２１１を被覆する第一被覆部１１３１と、不接触領域Ｂにおける第二接触部２２１を被覆する第二被覆部１１３２を含む。本実施状態で、第一被覆部１１３１が第一延在部４１１に設けられ、第二被覆部１１３２が前記第二延在部５１１に設けられる。勿論、他の実施状態において、第一被覆部１１３１と第二被覆部１１３２が中継保持部材６に設けられてもよい。
【００３３】
本考案の説明において、「上」、「下」、「前」、「後」、「左」、「右」、「内」、「外」等の用語で表された方向又は位置関係は、図面に基づくものであり、或いは本考案に係る製品の通常の配置方向又は位置関係であり、本考案を便宜的かつ簡略して説明するためのものに過ぎず、該当装置又は部品が、必ず定められた方向を有したり、定められた方向に構成、操作されたり、することを明示又は暗示するものではないため、本考案を限定するものではないと理解すべきである。また、「第一」、「第二」、「第三」、「第四」等の用語は、区別して説明するためのものに過ぎず、相対重要性を明示又は暗示するものではないと理解すべきである。
【００３４】
以上、本考案について最良の実施の形態を参照して詳細に説明したが、実施形態はあくまでも例示的なものであり、これらに限定されない。また上述の説明は、本考案に基づいてなしうる細部の修正或は変更など、いずれも本考案の請求範囲に属するものとする。
【符号の説明】
【００３５】
１００    電気コネクタ
Ａ        接触領域
Ｂ        不接触領域
１        インシュレーター
１１      本体部
１２      金属リング
１３      金属シート
１１１    基部
１１２    延在部
１１３    被覆部
１１２１  第一表面
１１２２  第二表面
１１３１  第一被覆部
１１３２  第二被覆部
２        導電端子
２１      第一導電端子
２２      第二導電端子
２１１    第一接触部
２２１    第二接触部
２１２    第一接続部
２２２    第二接続部
３        遮蔽シェル
３１      外部シェル
３２      内部シェル
３３      後部シェル
３１１    成型口
４        第一端子モジュール
４１      第１端子保持部材
４１１    第一延在部
４１２    第一溝部
５        第二端子モジュール
５１      第２端子保持部材
５１１    第二延在部
５１２    第二溝部
６        中継保持部材
６１１    第三延在部
６１１１  第三表面
６１１２  第四表面
７        封止ブロック
８        防水リング
【図１】
0003230758.tif 000003
【図２】
0003230758.tif 000004
【図３】
0003230758.tif 000005
【図４】
0003230758.tif 000006
【図５】
0003230758.tif 000007
【図６】
0003230758.tif 000008
【図７】
0003230758.tif 000009
【図８】
0003230758.tif 000010
【図９】
0003230758.tif 000011
【図１０】
0003230758.tif 000012
【図１１】
0003230758.tif 000013
【手続補正書】
【提出日】令和2年12月11日(2020.12.11)
【手続補正１】
【補正対象書類名】実用新案登録請求の範囲
【補正対象項目名】全文
【補正方法】変更
【補正の内容】
【実用新案登録請求の範囲】
【請求項１】
本体部（１１）が設けられるインシュレーター（１）と、前記インシュレーター（１）に保持される複数の導電端子（２）を含む電気コネクタ（１００）において、
前記本体部（１１）は、基部（１１１）と、前記基部（１１１）から突出し延在し、第一表面と、反対側の第二表面（１１２２）を有する延在部（１１２）を備え、前記基部（１１１）と延在部（１１２）が階段状を呈するように配置され、
前記導電端子（２）は、前記第一表面と同じ側に位置する第一接触部（２１１）と、前記第二表面（１１２２）に同じ側に位置する第二接触部（２２１）を含み、
前記第一接触部（２１１）の少なくとも一部の表面は、隣接する２つの前記第一接触部（２１１）の間に位置する前記延在部（１１２）の第一表面（１１２１）から突出しないように配置され、前記第二接触部（２２１）の少なくとも一部の表面は、隣接する２つの前記第二接触部（２２１）の間に位置する前記延在部（１１２）の第二表面（１１２２）から突出しないように配置されることを特徴とする電気コネクタ（１００）。
【請求項２】
前記第一接触部（２１１）と第二接触部（２２１）とは、相手側コネクタの挿入時に、相手コネクタ内部に挿入された接触領域（Ａ）と、相手コネクタ内部に挿入しない不接触領域（Ｂ）に区分され、
前記不接触領域（Ｂ）において、前記第一接触部（２１１）の表面（２１１０）が前記第一表面（１１２１）から突出しないように配置され、前記第二接触部（２２１）の表面（２２１０）が前記第二表面（１１２２）から突出しないように配置されることを特徴とする請求項１に記載の電気コネクタ（１００）。
【請求項３】
前記不接触領域（Ｂ）において、前記第一接触部（２１１）の表面（２１１０）が前記第一表面（１１２１）と面一に配置され、前記第二接触部（２２１）の表面（２２１０）が前記第二表面（１１２２）と面一に配置されることを特徴とする請求項２に記載の電気コネクタ（１００）。
【請求項４】
電気コネクタ（１００）は、第１端子保持部材（４１）を有する第一端子モジュール（４）と、第２端子保持部材（５１）を有する第二端子モジュール（５）を含み、
前記導電端子（２）は、前記第１端子保持部材（４１）にインサート成形で保持される複数の第一導電端子（２１）と、前記第２端子保持部材（５１）にインサート成形で保持される複数の第二導電端子（２２）を含み、
前記第一接触部（２１１）と前記第二接触部（２２１）とは平板状を呈し、前記第一接触部（２１１）が前記第一導電端子（２１）に設けられ、前記第二接触部（２２１）が前記第二導電端子（２２）に設けられることを特徴とする請求項３に記載の電気コネクタ（１００）。
【請求項５】
前記第１端子保持部材（４１）は、前記第一導電端子（２１）の接触部を保持する第一延在部（４１１）を有し、
前記第２端子保持部材（５１）は、前記第二導電端子（２２）の接触部を保持する第二延在部（５１１）を有し、
前記接触領域（Ａ）において、前記第一延在部（４１１）の上表面（４１１０）が前記第一接触部（２１１）の表面（２１１０）から突出しないように配置され、前記第二延在部（５１１）の下表面（５１１０）が前記第二接触部（２２１）の表面（２２１０）から突出しないように配置されることを特徴とする請求項４に記載の電気コネクタ（１００）。
【請求項６】
電気コネクタ（１００）は、前記第一端子モジュール（４）と前記第二端子モジュール（５）に取り付けられた中継保持部材（６）を含み、
前記延在部（１１２）は、前記第一延在部（４１１）及び第二延在部（５１１）に被覆成形された第三延在部（６１１）を含み、
前記第三延在部（６１１）は、第三表面（６１１１）と、反対側の第四表面（６１１２）を有し、
前記接触領域（Ａ）において、前記第三表面（６１１１）が前記第一表面（１１２１）より低く、前記第四表面（６１１２）が前記第二表面（１１２２）より低く配置されることを特徴とする請求項５に記載の電気コネクタ（１００）。
【請求項７】
前記接触領域（Ａ）において、前記第一表面（１１２１）が前記第一接触部（２１１）の表面（２１１０）より低く、前記第二表面（１１２２）が前記第二接触部（２２１）の表面（２２１０）より低く配置されることを特徴とする請求項６に記載の電気コネクタ（１００）。
【請求項８】
前記本体部（１１）は、前記不接触領域（Ｂ）を覆う被覆部（１１３）が設けられることを特徴とする請求項２に記載の電気コネクタ（１００）。
【請求項９】
前記被覆部（１１３）は、不接触領域（Ｂ）における前記第一接触部（２１１）を被覆する第一被覆部（１１３１）と、不接触領域（Ｂ）における第二接触部（２２１）を被覆する第二被覆部（１１３２）を含むことを特徴とする請求項８に記載の電気コネクタ（１００）。
【請求項１０】
電気コネクタ（１００）は、第１端子保持部材（４１）を有する第一端子モジュール（４）と、第２端子保持部材（５１）を有する第二端子モジュール（５）を含み、
前記導電端子（２）は、前記第１端子保持部材（４１）にインサート成形で保持される複数の第一導電端子（２１）と、前記第２端子保持部材（５１）にインサート成形で保持される複数の第二導電端子（２２）を含み、
前記第一接触部（２１１）と前記第二接触部（２２１）とは平板状を呈し、前記第一接触部（２１１）が前記第一導電端子（２１）に設けられ、前記第二接触部（２２１）が前記第二導電端子（２２）に設けられることを特徴とする請求項９に記載の電気コネクタ（１００）。
【請求項１１】
前記第１端子保持部材（４１）は、前記第一導電端子（２１）の第一接触部（２１１）を保持する第一延在部（４１１）を有し、
前記第２端子保持部材（５１）は、前記第二導電端子（２２）の第二接触部（２２１）を保持する第二延在部（５１１）を有し、
前記第一被覆部（１１３１）が前記第一延在部（４１１）に設けられ、前記第二被覆部（１１３２）が前記第二延在部（５１１）に設けられることを特徴とする請求項１０に記載の電気コネクタ（１００）。